【事件の表示】
　平成　６年特許願第２１２１０８号「画像処理装置」拒絶査定に対する審判事件［平成　８年　２月２７日出願公開、特開平　８−　５６２９２］について、次のとおり審決する。
【結　論】
　本件審判の請求は、成り立たない。
【理　由】
１　手続の経緯
　本願は、平成６年８月１２日に出願されたものであって、平成１０年４月２２日に手続補正がされた後、平成１２年３月８日に拒絶査定がされ、これに対し平成１２年４月１３日に審判請求がされた後、平成１２年５月１１日に手続補正がされたものである。
　なお、前記平成１２年５月１１日の手続補正は、当審において補正却下の決定がされている。
２　本願発明
　本願の特許請求の範囲の請求項６に記載された発明（以下、「本願発明」という。」）は、平成１０年４月２２日付けの手続補正により補正された明細書及び図面の記載からみて、その特許請求の範囲の請求項６に記載された次のとおりのものである。
「ある色空間の入力カラー画像信号を他の色空間の複数色分の色成分データからなる出力カラー画像信号に変換して出力する画像処理装置において、
　上記出力カラー画像信号の複数色分の色成分ごとに生成された、上記入力カラー画像信号を上記出力カラー画像信号の複数色分の色成分データに変換するための複数色分の変換用データを記憶する変換テーブルと、
　上記複数色分の変換用データとして、上記入力カラー画像信号の色空間の種類に応じた複数種類のものを記憶する変換用データ記憶手段と、
　上記入力カラー画像信号の色空間の種類を識別し、その識別出力により上記変換用データ記憶手段から上記入力カラー画像信号の色空間の種類に対応した複数色分の変換用データを選択して上記変換テーブルに転送する識別選択手段と、
　この識別選択手段により選択されて上記変換テーブルに転送された複数色分の変換用データによって上記入力カラー画像信号を上記出力カラー画像信号の複数色分の色成分データに変換する色変換手段と、
　を備えることを特徴とする画像処理装置。」
３　引用刊行物
　これに対して、原査定の拒絶の理由に引用された特開平１−１６６６６９号公報（平成１年６月３０日出願公開。以下「引用例１」という。）には、「画像処理装置」に関する発明について、図面と共に以下の各記載がある。
　ア「本発明は、入力されたカラーオリジナル画像情報を、所望の複製画像情報へ変換処理するようにした画像処理装置に係り、特に、オリジナル画像情報に対して所望の補正を行なう際に、メモリ領域の節約が可能な画像処理装置に関するものである。」（１頁右下欄６行〜１１行）
　
　イ「しかして、前述した従来のカラー画像信号の処理方法を実現する画像処理装置にあっては、上述したオリジナル画像を補正するためのルックアップテーブルをメモリ内に格納している。（中略）例えば入力系等の事情に合わせて他種類のルックアップテーブルをメモリ内に格納しようとすれば、さらに大容量のメモリ領域が必要になることになる。本発明は、上述した実状に鑑みてなされたもので、ルックアップテーブルを生成する際に用いられる補正関数を必要に応じて外部より転送し、該転送された補正関数、及びオリジナル画像情報とに基づいて随時生成したルックアップテーブルを参照して、所望の色彩イメージが再現された複製画像を得ることにより、例えば、多階調画像を補正する場合、あるいは入力系の事情に合わせて他種類のルックアップテーブルを用意したい場合であっても、必要に応じて外部より転送される補正関数等に基づいて随時生成されるルックアップテーブルを記憶するためのメモリ領域さえあれば良く、複数のルックアップテーブルをそれぞれ格納するための大容量のメモリ領域が不要なため、この結果、メモリ領域の節約が可能となる画像処理装置を提供することを目的とする」（２頁右上欄５行〜左下欄１２行）
　ウ「第１図には、インクジェットプリンタ内におけるカラー画像信号の処理回路が示してある。同図に示すように、ホストコンピュータ１には、接続ケーブル６及びインターフェース８を介して、インクジェットプリンタ７内に設けられたフレームメモリ１０が接続してあり、ここで、ホストコンピュータ１より転送された、カラーＣＲＴディスプレイ２上にオリジナル画像を表示させるためのＲＧＢ信号が格納されるように構成してある。（中略）フレームメモリ１０には、ＲＧＢ信号を転送するためのＲＧＢバス１１を介して、テーブル生成手段の一部を成すルックアップテーブルメモリ１２が接続してあり、ここに格納されたルックアップテーブルを参照しつつ、カラーＣＲＴディスプレイ２に適合するＲＧＢ信号が、インクジェットプリンタ７に適合するＹＭＣ信号に変換されるように構成されている。」（３頁右下欄２行〜４頁左上欄７行）
　エ「ルックアップテーブルメモリ１２には、テーブル生成手段の一部を成す計算機１８が接続されている。この計算機１８は、オリジナル画像を補正するための補正関数があらかじめ記憶されている関数記憶手段の一部を成す計数列１６が複数個接続されると共に、前述した接続ケーブル６及びインターフェース８を介してホストコンピュータ１に接続され、ホストコンピュータ１より転送された補正関数を記憶するための領域であって、複数の補正関数が記憶可能な関数記憶手段の一部を成す係数列領域１９が接続されたマルチプレクサ１７が接続してある。また、このマルチプレクサ１７は、複数の係数列１６のなかから１つの係数列を選択するためのモードセレクトスイッチ２０と、複数の補正関数が記憶された係数列領域１９のなかから１つの補正関数を選択するための外部コマンドスイッチ２１とが接続された判別回路２２が接続してあり、ここで、モードセレクトスイッチ２０、あるいは外部コマンドスイッチ２１のいずれかの選択結果を、マルチプレクサ１７へ転送するように構成してある。（中略）このように、係数列１６、係数列領域１９、及び判別回路２２が接続されたマルチプレクサ１７に接続してある計算機１８において、判別回路２２より転送された選択結果にしたがって選択された係数列に基づいて、オリジナル画像情報を複製する画像情報に変換するためのルックアップテーブルが随時生成され、ここで生成されたルックアップテーブルが、ルックアップテーブルメモリ１２に転送されて格納されるように構成してある。」（４頁右上欄４行〜左下欄１６行）
　オ「インクジェットプリンタ７の図示しない電源スイッチをオンすると、インクジェットプリンタ７内の制御装置が初期化されて（Ｓ１）、起動準備が整う。（中略）Ｓ１の初期化が完了すると、制御装置は、プリントスイッチがオンされたか否かの判断を行なう（Ｓ２）。（中略）プリントスイッチがオンされると、制御装置は、接続ケーブル６及びインターフェース８を介してホストコンピュータ１よりフレームメモリ１０へ、ＲＧＢ信号の形態で搬送されるオリジナル画像情報を取込む命令を実行し（Ｓ３）、この画像情報をフレームメモリ１０における所定のアドレスに順次格納する。（中略）制御装置は、外部コマンドスイッチ２１の設定にしたがい、ホストコンピュータ１より転送された補正関数が記憶される係数列領域１９のなかから１つの補正関数を選択し、この補正関数をマルチプレクサ１７を介して計算機１８へ転送する命令を行う。さらに制御装置は、前記転送された補正関数、及びフレームメモリ１０に格納されているオリジナル画像情報を読出して、この補正関数に基づいて、計算機１８に、オリジナル画像情報をアドレスとするルックアップテーブルを生成させる命令を実行する（Ｓ４）。計算機１８において生成されたルックアップテーブルは、ルックアップテーブルメモリ１２上の所定のアドレスに格納されている。このように、プリントアウトスイッチがオンされる毎にルックアップテーブルが随時生成される構成となっているため、ルックアップテーブルを種々の事情に合わせて複数記憶する場合には、必要とされるメモリ領域を節約することができる。こうしてルックアップテーブルがルックアップテーブルメモリ１２の所定のアドレスに格納されると、オリジナル画像を複製画像に変換する準備が整う。」（４頁左下欄２０行〜５頁右上欄７行）
　
　カ「Ｓ４においてルックアップテーブルの生成が完了すると、制御装置は、フレームメモリ１０よりＲＧＢバス１１を介して順次オリジナル画像情報を読出し、Ｓ４においてあらかじめ生成しておいた、オリジナル画像情報をアドレスとするルックアップテーブルのデータを参照しつつ、オリジナル画像の色彩イメージを、複製画像上に忠実に再現するための変換処理を実行する（Ｓ５）。なお、Ｓ５において行なわれる変換処理により、ＲＧＢ信号の形態で入力されたオリジナル画像情報は、ＹＭＣ信号の形態の複製画像情報に変換されることになる」（８頁左上欄１７行〜右上欄８行）
　キ「本実施例について、オリジナル画像の色彩イメージが忠実に再現された複製画像を得ることを目的とする補正関数を、係数列領域へ転送して記憶する様例示して説明したが、この他に前記補正関数として、例えば、第１補正関数は第１ＣＲＴディスプレイ用、一方第２補正関数は第２ＣＲＴディスプレイ用という様に、あるいは、ＣＧ画像には第３補正関数、一方人物画には第４補正関数という様に、入力系の事情に合わせた補正関数を転送しても良く、また、例えば、出力系としてのインクジェットプリンタのインクの種類、または記録媒体の種類等の出力系の事情毎に演算した補正関数を転送しても良い。」（８頁右下欄１２行〜９頁左上欄４行）
　ク「以上詳細に説明したように、本発明によれば、テーブル生成手段において、指令手段により指令信号が出力される毎にルックアップテーブルが随時生成され、該生成されたルックアップテーブルを参照することにより、オリジナル画像情報が、所望の色彩イメージを有する複製画像情報へと変換処理される。したがって、例えば、多階調画像を補正する場合、あるいは入力系の事情に合わせて他種類のルックアップテーブルを用意したい場合であっても、前記事情毎に随時ルックアップテーブルが生成されるために、該生成したルックアップテーブルを記憶するためのメモリ領域さえあれば良く、複数のルックアップテーブルをあらかじめ記憶しておくための大容量のメモリ領域が不要なため、メモリ領域が節約できることになる。また、画像転送手段より画像記憶手段へ、必要とされる複製画像情報等の種々の事情に適合する補正関数を随時転送することにより、必要に応じたルックアップテーブルを即座に生成することができる。これにより、所望の色彩イメージの複製画像の生成が、簡便な操作により即座に実現可能になるという実用上きわめて優れた効果を奏する。」（９頁左上欄１３行〜右上欄１４行）
４　対比・判断
　そこで、本願発明と引用例１に記載された発明とを対比すると、 
　(a)引用例１に記載された発明の「画像処理装置７」は、ホストコンピュータ１からインターフェース８を介して入力されたオリジナル画像情報（ある色空間の入力カラー画像信号）を、ルックアップテーブルメモリ１２を用いて、ＹＭＣ信号の形態の複製画像情報（他の色空間の複数色分の色成分データからなる出力カラー画像信号）に変換して出力するものである（上記ア〜ク参照）から、「ある色空間の入力カラー画像信号を他の色空間の複数色分の色成分データからなる出力カラー画像信号に変換して出力する画像処理装置」である点で、本願発明の「画像処理装置」と一致する。
　(b)引用例１に記載された発明におけるルックアップテーブルメモリ１２は、ＲＧＢバス１１上のオリジナル画像情報（入力カラー画像信号）をＹＭＣ信号の形態の複製画像情報（出力カラー画像信号の複数色分の色成分データ）に変換するためのデータを記憶するものであり（上記オ、カ参照）、該データは、オリジナル画像情報をＹＭＣ信号の形態の複製画像情報に変換することから、複数色分の変換用データからなることが明かであるから、変換用データが「出力カラー画像信号の複数色分の色成分ごとに生成された」ものである点は別として、「上記入力カラー画像信号を上記出力カラー画像信号の複数色分の色成分データに変換するための複数色分の変換用データを記憶する変換テーブル」である点で、本願発明の「変換テーブル」と一致する。
　(c)引用例１に記載された発明における係数列領域（関数記憶手段）１９は、第１補正関数は第１ＣＲＴディスプレイ用、一方第２補正関数は第２ＣＲＴディスプレイ用という様に、あるいは、ＣＧ画像には第３補正関数、一方人物画には第４補正関数という様に、入力系の事情に合わせた補正関数を記憶するものであり（上記エ、キ参照）、該補正関数は、ルックアップテーブル１２に転送されてオリジナル画像情報（入力カラー画像信号）をＹＭＣ信号の形態の複製画像情報に変換するための変換データとなるものである（上記エ、オ参照）から、複数色分の変換用データとして記憶される、入力カラー画像信号の種類に応じた複数種類の変換用データが「入力カラー画像信号の色空間の種類に応じた複数種類のもの」である点は別として、「上記複数色分の変換用データとして、上記入力カラー画像信号の種類に応じた複数種類のものを記憶する変換用データ記憶手段」である点で、本願発明の「変換用データ記憶手段」と一致する。
　(d)引用例１に記載された発明の判別回路２２、及びマルチプレクサ１７は、外部コマンドスイッチ２１の選択結果に応じて、複数の補正関数が記憶された係数列領域１９のなかから１つの補正関数を選択するためのものであり（上記エ参照）、前記選択は、第１補正関数は第１ＣＲＴディスプレイ用、一方第２補正関数は第２ＣＲＴディスプレイ用という様に、あるいは、ＣＧ画像には第３補正関数、一方人物画には第４補正関数という様に、入力系の事情に合わせて行われるものであるから（上記キ参照）、入力カラー画像信号の「色空間の種類を識別」する点、及び選択する複数色分の変換用データが「入力カラー画像信号の色空間の種類に対応した」ものである点は別として、「上記入力カラー画像信号の種類に応じて、上記変換用データ記憶手段から上記入力カラー画像信号の種類に対応した複数色分の変換用データを選択して上記変換テーブルに転送する選択手段」である点で、本願発明の「識別選択手段」と一致する。
　(e)引用例１に記載された発明の制御装置は、判別回路２２及びマルチプレクサ１７により選択されてルックアップテーブル１２（変換テーブル）に転送された補正関数（複数色分の変換用データ）によって、オリジナル画像（入力カラー画像信号）をＹＭＣ信号の形態の複製画像情報（出力カラー画像信号の複数色分の色成分データ）に変換するものである（上記オ、カ参照）から、本願発明の「色変換手段」に相当する。
　したがって、本願発明と引用例１に記載された発明は、
「ある色空間の入力カラー画像信号を他の色空間の複数色分の色成分データからなる出力カラー画像信号に変換して出力する画像処理装置において、
　上記入力カラー画像信号を上記出力カラー画像信号の複数色分の色成分データに変換するための複数色分の変換用データを記憶する変換テーブルと、
　上記複数色分の変換用データとして、上記入力カラー画像信号の種類に応じた複数種類のものを記憶する変換用データ記憶手段と、
　上記入力カラー画像信号の種類に応じて、上記変換用データ記憶手段から上記入力カラー画像信号の種類に対応した複数色分の変換用データを選択して上記変換テーブルに転送する選択手段と、
　この選択手段により選択されて上記変換テーブルに転送された複数色分の変換用データによって上記入力カラー画像信号を上記出力カラー画像信号の複数色分の色成分データに変換する色変換手段と、
　を備えることを特徴とする画像処理装置。」である点で一致し、次の各点で相違する。
(あ)本願発明は、変換テーブルに記憶する複数色分の変換用データが「出力カラー画像信号の複数色分の色成分毎に生成された」ものであるのに対して、引用例１に記載された発明は、この点について明記がない点。
　
(い)本願発明の変換用データ記憶手段は、複数色分の変換用データとして「入力カラー画像信号の色空間の種類に応じた複数種類のもの」を記憶するのに対して、引用例１に記載された発明の変換用データ記憶手段（関数記憶手段１９）は、変換用データとして、入力カラー画像信号（オリジナル画像）の入力系の事情に合わせた種類に応じた複数種類のものを記憶する点。
(う)本願発明の選択手段（識別選択手段）は、入力カラー画像信号の「色空間の種類を識別し、その識別出力により」複数色分の変換用データを選択するものであり、また、選択する複数色分の変換用データが「入力カラー画像信号の色空間の種類に対応した」ものであるのに対して、引用例１に記載された発明の選択手段（判別回路２２、及びマルチプレクサ１７）は、外部コマンドスイッチ２１で選択された選択結果（入力系の事情に合わせた補正関数）で補正関数（複数色分の変換用データ）を選択するものであり、また、前記補正関数は、入力カラー画像信号の入力系の事情に合わせたもので、入力カラー画像信号の色空間の種類に対応したものではない点。
　そこで、まず、相違点(あ)について検討すると、
変換テーブルに記憶する複数色分の変換用データを、出力カラー画像信号の複数色分の色成分毎に生成されたものとすることは、当業者に周知である（必要であれば、原審の拒絶理由に引用された特開平５−４８８８４号公報、特開昭６０−２０７１８９号公報参照）から、この相違点(あ)に係る構成を採用することは、当業者が格別の創意工夫を要することなくなし得ることである。
　
　次に、相違点(い)について検討すると、
　画像処理装置においては、従来、ＲＧＢ色空間、Ｌａｂ色空間、ＨＳＢ色空間など、複数種類の色空間の入力カラー画像信号を扱える仕様のものが要求されており、このような複数種類の色空間の入力カラー画像信号を扱える様にした画像処理装置では、色変換用のテーブルメモリの容量節約という技術的課題の存在が、当業者に明かである。
　一方、引用例１に記載された発明は、色変換用のテーブルメモリ（ルックアップテーブル）を入力系の事情に合わせて随時生成することにより、メモリ領域を節約するものである（上記イ参照）。
　このように、複数種類の色空間の入力カラー画像信号を扱えるようにした画像処理装置と、引用例１に記載された発明は、色変換用テーブルのメモリ容量を節約するという技術的課題において共通するものであるから、技術的課題を共通にする引用例１に記載された発明を、複数種類の色空間の入力カラー画像信号を扱える様にした前記画像処理装置に転用して、入力カラー画像信号の種類を入力系の事情に応じたものから色空間の種類に応じたものに代え、変換用データ記憶手段に記憶する複数色分の変換用データを「入力カラー画像信号の色空間の種類に応じた複数種類のもの」とすることは、当業者が格別の創意工夫を要することなくなし得ることである。
　次に、相違点（う）について検討すると、
変換用データ記憶手段に、入力カラー画像信号の色空間の種類に応じた複数種類のものを記憶することは、前記相違点（い）で述べたように、当業者が容易になし得ることである。
　そして、変換用データ記憶手段に、入力カラー画像信号の色空間の種類に応じた複数種類のものを記憶するものとした場合、変換用データ記憶手段から複数色分の変換用データを選択するためには、入力カラー画像信号の色空間の種類を識別し、その識別結果により変換用データ記憶手段から前記種類に応じた変換用データを選択することが当然に必要となり、そのような識別、選択のための構成は、設計的事項に過ぎないから、相違点（う）に係る本願発明の構成は、当業者が格別の創意工夫を要することなくなし得ることである。
　そして、本願発明の構成によりもたらされる効果も引用例１に記載された発明、及び前記周知技術から当業者が容易に予測し得る程度のものであり、格別のものではない。
５　まとめ
　したがって、本願発明は、引用例１に記載された発明、及び前記周知技術に基づいて、当業者が容易に発明をすることができたものであり、特許法第２９条第２項の規定により特許を受けることができない。
　よって、結論のとおり審決する。